(57)【要約】  【課題】  本発明は公営競技の情報取得に関し、より詳細にはワンセグによるローカル放送とインターネットによるＷｅｂ情報とを連携して携帯電話により公営競技の情報取得を行う公営競技情報取得システムと、公営競技情報取得プログラムおよび公営競技情報取得方法に関するものである。  【解決手段】  本発明の公営競技情報取得システムは、携帯電話と、Ｗｅｂサーバと、ローカル放送配信サーバとを備え、携帯電話はローカル放送の関連データに対応して利用者によって操作された操作情報を取得し、取得した操作情報に対応したローカル放送の受信チャンネルを変更してローカル放送を表示するか、またはインターネットに接続して操作情報を送信し、競技データを受信して表示する、よう構成する。【選択図】    図１
2008271219.tif 000002
【特許請求の範囲】
【請求項１】
利用者が所持するインターネットとワンセグに対応可能な携帯電話と、
インターネットに接続し、公営競技の競走体の情報やレース情報を含む競技データを保持し、前記携帯電話の要求に応じて該競技データを抽出し送信するＷｅｂサーバと、
前記競走体に関連する映像情報と該映像情報に関連する関連データとを保持し、該映像情報と該関連データとをワンセグ送信機から微弱電波で限られたエリアにローカル放送するローカル放送配信サーバとを備え、
前記エリアにあって前記ローカル放送を受信した前記携帯電話は、該ローカル放送の関連データに対応して前記利用者によって操作された操作情報を取得し、取得した操作情報を解析して該解析の結果に基づいて、該操作情報に対応した該ローカル放送の受信チャンネルを変更して該当するチャンネルのローカル放送を表示するか、またはインターネットに接続して前記Ｗｅｂサーバに該操作情報を送信し、該Ｗｅｂサーバから該操作情報によって抽出された前記競技データを受信して表示する
ことを特徴とする公営競技情報取得システム。
【請求項２】
前記携帯電話は、前記操作情報に対応した前記ローカル放送のチャンネルを設定したチャンネルテーブルを備え、前記受信チャンネルの変更は該チャンネルテーブルを参照して該操作情報に対応したチャンネルを抽出し、該携帯電話が備えるチューナに該チャンネルを設定する
ことを特徴とする請求項１に記載の公営競技情報取得システム。
【請求項３】
前記携帯電話は、予め前記Ｗｅｂサーバのインターネット上のアドレスを該携帯電話が備える記憶部に記憶し、前記解析の結果に基づいてインターネットに接続する場合に該アドレスと前記操作情報とを該携帯電話のキリアサーバに送信し、該キリアサーバを介して該Ｗｅｂサーバから該操作情報によって抽出された前記競技データを受信する
ことを特徴とする請求項１に記載の公営競技情報取得システム。
【請求項４】
インターネットに接続され公営競技の競技データを保持するＷｅｂサーバと、競走体に関連する映像情報と関連データとを保持し、該映像情報と該関連データとをワンセグ送信機からローカル放送するローカル放送配信サーバとを備えた公営競技情報取得システムにおいて、該Ｗｅｂサーバと該ローカル放送配信サーバとから公営競技に関する情報を取得する携帯電話が備える公営競技情報取得プログラムであって、
前記携帯電話のコンピュータに、
利用者によって操作された操作情報を取得する操作情報取得手順と、
取得した操作情報を解析する解析手順と、
前記解析の結果が前記ローカル放送の受信チャンネルを変更するものであるとき、前記携帯電話が備えるチャンネルテーブルを参照して、該操作情報に対応したチャンネルを抽出し、該携帯電話が備えるチューナに該チャンネルを設定して該ローカル放送を表示するチャンネル変更手順と、
前記解析の結果が前記Ｗｅｂサーバから前記競技データを取得するものであるとき、インターネットに接続して該Ｗｅｂサーバに前記操作情報を送信し、該Ｗｅｂサーバから該操作情報によって抽出された該競技データを受信して表示するＷｅｂデータ表示手順と
を実行させるための公営競技情報取得プログラム。
【請求項５】
インターネットに接続され公営競技の競技データを保持するＷｅｂサーバと、競走体に関連する映像情報と関連データとを保持し、該映像情報と該関連データとをワンセグ送信機からローカル放送するローカル放送配信サーバとを備えた公営競技情報取得システムにおいて、該Ｗｅｂサーバと該ローカル放送配信サーバとから公営競技に関する情報を取得する携帯電話の公営競技情報取得方法であって、
前記携帯電話のコンピュータは、
利用者によって操作された操作情報を取得する操作情報取得手順と、
取得した操作情報を解析する解析手順と、
前記解析の結果が前記ローカル放送の受信チャンネルを変更するものであるとき、前記携帯電話が備えるチャンネルテーブルを参照して、該操作情報に対応したチャンネルを抽出し、該携帯電話が備えるチューナに該チャンネルを設定して該ローカル放送を表示するチャンネル変更手順と、
前記解析の結果が前記Ｗｅｂサーバから前記競技データを取得するものであるとき、インターネットに接続して該Ｗｅｂサーバに前記操作情報を送信し、該Ｗｅｂサーバから該操作情報によって抽出された該競技データを受信して表示するＷｅｂデータ表示手順と
を有することを特徴とする公営競技情報取得方法。
【発明の詳細な説明】
【技術分野】
【０００１】
本発明は公営競技の情報取得に関し、より詳細にはワンセグによるローカル放送とインターネットによるＷｅｂ情報とを連携して携帯電話で公営競技の情報取得を行う公営競技情報取得システム、公営競技情報取得プログラムおよび公営競技情報取得方法に関するものである。
【背景技術】
【０００２】
従来、公営競技（競馬、競輪、競艇、オートレース）の投票者がレースを予想する場合に、主催者が提供する公式な情報（オッズや馬、騎手／選手などの情報）や民間が提供する新聞や専門誌などの予想情報を元に分析し、予想していた。また、競馬を例にとると、競馬場に足を運んだ投票者は、競馬場に備える表示装置によりレース直前のオッズを見たり、パドックに行って自身の目で馬の状態を確認してレースを予想することも行っていた。
最近では携帯電話の進化によりブラウザを搭載してインターネット接続できるようになり、投票者は好みの公営競技のサイトに接続して情報を取れることができるようになった。また、インターネットを利用して携帯電話から投票できるインターネット投票サービスも実施さている。
また、２００６年に地上デジタルテレビ放送サービスが開始され、携帯電話でもこの地上デジタルテレビ放送サービスの一つであるワンセグによる放送を受信できるようになった。このため、投票者は例えば競馬場にいながら自身がいる競技場のレースや他の競馬場のレースをテレビ視聴できるようになった。ワンセグでは映像による番組の他にその番組に独立、あるいは関連したデータの放送も可能で、映像を表示しながら文字やボタンを表示させることが可能である。データ放送は、ＢＭＬ（Broadcast Markup Language）と呼ばれる記述言語で作成されたデータが送信され、携帯電話は映像情報を表示するテレビの受信機能に加えてこのＢＭＬを表示するＢＭＬブラウザ機能でデータ放送を表示している。
携帯電話を用いた公営競技の情報配信システムが提案さている。これは、ユーザ（投票者）が携帯情報端末から公営競技に関する情報を選択した条件情報をサーバに送信すると、サーバはこの条件情報をユーザプロファイルデータベースに記憶しておき、サーバがこの条件情報に合った情報が得られたとき自動的にユーザプロファイルデータベースに記憶されているユーザの宛て先に配信するものである（特許文献１）。  
【特許文献１】特開２００２−３２４０５号公報
【発明の開示】
【発明が解決しようとする課題】
【０００３】
上記に述べたように、公営競技の投票者は投票に当たり種々の情報源から情報を得て分析し、予想を立てることを行っている。しかし、例えば競馬場のパドックにいて、何頭かの馬についてその馬についての情報を得ようとすると、前述した携帯電話からＷｅｂサイトにアクセスして情報を得ることは可能であるが、結構煩雑な操作を必要する。一般的には次の操作を行い、求むる情報を得ることになる。まず、ポータルサイトに接続し、競馬サイトを選択する。競馬サイトの接続が完了すると、競馬サイトのトップメニューが表示され、このトップメニューから例えば馬固体情報を得るメニューを選択する。馬固体情報メニューの選択により、続いて馬名の入力を求められ、馬名を入力する。競馬サイトのシステムは入力された馬名を基にデータベースを検索し、該当する情報を抽出し携帯電話に送信する、といった流れになる。映像情報も競馬サイトから取得できるが、映像情報は一般に情報量が多いためダウンロードに時間を要する。
【０００４】
また、競馬場には多くの情報が表示されているが、何頭かの馬についてポイントを絞って情報を得ようとすると、パドックから離れて広い競馬場の中を表示装置が設置されている所まで歩くことになる。現在パドックにいる利用者は、今見ている馬の中から馬番号を指定するだけでその馬に関する情報が簡単に得られればその利便性は計り知れないものである。
【０００５】
前述した特許文献１による提案は、例えばお気に入りの馬の名前を登録しておくと、サーバがその馬の情報について新しい情報を得たとき、自動的に利用者に通知するものである。利用者は、予め条件を設定しておけばその都度入力する煩雑さがない点で効果的である。しかし、上述のように例えばパドックにいて、設定以外の馬の情報を得たいと思ったときには従来と同じ方法で情報取得を行うことになる。
【０００６】
本発明は、局所的に放映できるワンセグのローカル放送によりその場にあった映像情報をタイムリーに得られ、その放送に関連してより詳細の情報を得たいときＷｅｂサイトと連携して詳細情報を取得して表示する公営競技情報取得システム、公営競技情報取得プログラムおよび公営競技情報取得方法を提供することを目的とする。
【課題を解決するための手段】
【０００７】
本発明の公営競技情報取得システム、公営競技情報取得プログラムおよび公営競技情報取得方法は以下のように構成される。
（１）第１の発明
第１の発明の公営競技情報取得システムは、利用者が所持するインターネットとワンセグに対応可能な携帯電話と、インターネットに接続して公営競技の競走体の情報やレース情報を含む競技データを保持し、携帯電話の要求に応じて競技データを抽出し送信するＷｅｂサーバと、競走体に関連する映像情報とその映像情報に関連する関連データとを保持し、それらのをワンセグ送信機から微弱電波で限られたエリアにローカル放送するローカル放送配信サーバとを備える。そして、そのエリアにあってローカル放送を受信した携帯電話は、ローカル放送の関連データに対応して利用者によって操作された操作情報を取得し、取得した操作情報を解析し、その解析の結果に基づいて操作情報に対応したローカル放送の受信チャンネルを変更して該当するチャンネルのローカル放送を表示する。あるいは、その操作情報に対応してインターネットに接続し、Ｗｅｂサーバに操作情報を送信してそのＷｅｂサーバから操作情報によって抽出された競技データを受信して表示する、よう構成する。ローカル放送は、映像情報の放送に加えて関連データをデータ放送として放送する。また、利用者とは、公営競技情報取得システムを利用する人のことで、前述の投票者でもある。
【０００８】
上記により、ローカル放送の関連データに対応して入力された操作情報をもとに、ローカル放送の番組を選択したり、インターネットに接続してＷｅｂサーバから情報を取得できる。即ち、操作情報を基にローカル放送とＷｅｂとを連携させることができる。
（２）第２の発明     
第２の発明は、第１の発明の公営競技情報取得システムの携帯電話が、操作情報に対応したローカル放送のチャンネルを設定したチャンネルテーブルを備え、受信チャンネルの変更はチャンネルテーブルを参照して操作情報に対応したチャンネルを抽出し、携帯電話が備えるチューナにチャンネルを設定するものである。
【０００９】
上記により、携帯電話は操作情報に対応したチャンネルテーブルを備えるようにしたので、操作情報に応じて容易にローカル放送のチャンネル変更ができる。
（３）第３の発明     
第３の発明は、第１の発明の公営競技情報取得システムの携帯電話が、予め前記Ｗｅｂサーバのアドレスを携帯電話が備える記憶部に記憶し、解析の結果に基づいてインターネットに接続する場合にアドレスと操作情報とを携帯電話のキリアサーバに送信し、キリアサーバを介してＷｅｂサーバから送信した操作情報によって抽出された競技データを受信するものである。
【００１０】
上記により、携帯電話が競技データを保持するＷｅｂサーバのアドレスを記憶するようにしたので、自動的にキリアサーバを介して目的のＷｅｂサーバに接続できる。
（４）第４の発明
第４の発明は、インターネットに接続され公営競技の競技データを保持するＷｅｂサーバと、競走体に関連する映像情報と関連データとを保持し、該映像情報と該関連データとをワンセグ送信機からローカル放送するローカル放送配信サーバとを備えた公営競技情報取得システムにおいて、Ｗｅｂサーバとローカル放送配信サーバとから公営競技に関する情報を取得する携帯電話が備える公営競技情報取得プログラムである。
【００１１】
このプログラムは携帯電話のコンピュータに、操作情報取得手順と解析手順、チャンネル変更手順およびＷｅｂデータ表示手順を実行させるよう構成する。
【００１２】
操作情報取得手順は利用者によって操作された操作情報を取得するものであり、解析手順は操作情報取得手順で取得した操作情報を解析する。チャンネル変更手順は、解析手順における解析の結果がローカル放送の受信チャンネルを変更するものであるとき、携帯電話が備えるチャンネルテーブルを参照して、操作情報に対応したチャンネルを抽出し、携帯電話が備えるチューナにチャンネルを設定してローカル放送を表示する。解析手順における解析の結果がＷｅｂサーバから競技データを取得するものであるとき、インターネットに接続してＷｅｂサーバに操作情報を送信し、Ｗｅｂサーバから操作情報によって抽出された競技データを受信して表示する、ものである。
【００１３】
これにより、ローカル放送とＷｅｂ情報とを連携して公営競技の情報を容易に取得できる携帯電話の公営競技情報取得プログラムの提供ができる。
（５）第５の発明
第５の発明は、インターネットに接続され公営競技の競技データを保持するＷｅｂサーバと、競走体に関連する映像情報と関連データとを保持し、映像情報と関連データとをワンセグ送信機からローカル放送するローカル放送配信サーバとを備えた公営競技情報取得システムにおいて、Ｗｅｂサーバとローカル放送配信サーバとから公営競技に関する情報を取得する携帯電話の公営競技情報取得方法である。
【００１４】
この公営競技情報取得方法は、携帯電話のコンピュータが操作情報取得手順と解析手順、チャンネル変更手順およびＷｅｂデータ表示手順を備えるよう構成する。
【００１５】
操作情報取得手順は利用者によって操作された操作情報を取得するものであり、解析手順は操作情報取得手順で取得した操作情報を解析する。チャンネル変更手順は、解析手順における解析の結果がローカル放送の受信チャンネルを変更するものであるとき、携帯電話が備えるチャンネルテーブルを参照して、操作情報に対応したチャンネルを抽出し、携帯電話が備えるチューナにチャンネルを設定してローカル放送を表示する。解析手順における解析の結果がＷｅｂサーバから競技データを取得するものであるとき、インターネットに接続してＷｅｂサーバに操作情報を送信し、Ｗｅｂサーバから操作情報によって抽出された競技データを受信して表示する、ものである。
【００１６】
これにより、ローカル放送とＷｅｂ情報とを連携して公営競技の情報を容易に取得できる携帯電話の公営競技情報取得方法の提供ができる。
【発明の効果】
【００１７】
上述のように本発明によれば、次に示す効果が得られる。
【００１８】
第１の発明により、ローカル放送のエリア内にいる利用者は発走時間に連動した映像情報をタイムリーに取得できるとともに、利用者の要求によりローカル放送に関連したＷｅｂの情報をシームレス（Ｗｅｂと連携することによる再入力をさせることなく）に取得できる。
【００１９】
第２の発明により、操作情報に基づいて自動的にチャンネルテーブルを参照してチャンネルを設定するので、高いレスポンスでローカル放送の取得ができる。
【００２０】
第３の発明により、予め記憶しているＷｅｂアドレスを操作情報とともにキャリアサーバに送るようにしたので、ポータルを経由することなく直接目的のＷｅｂサーバに接続でき、高いレスポンスでＷｅｂサーバからの情報を取得できる。
【００２１】
第４の発明により、第１の発明と同様の効果を有する携帯電話の公営競技情報の取得プログラムの提供が可能となる。
【００２２】
第５の発明により、第１の発明と同様の効果を有する携帯電話の公営競技情報の取得方法の提供が可能となる。
【発明を実施するための最良の形態】
【００２３】
公営競技情報取得システムの実施形態を、競馬のシステムを例として図１から図７を用いて説明する。
【００２４】
図１は、本発明の公営競技情報取得システム１００の構成例を示したものである。公営競技情報取得システム１００は大きく分けて、利用者が所有する携帯電話２００、ワンセグによるローカル放送用を行うローカル局サーバ３００、公営競技の各種データを備えるＷｅｂサーバ４００から構成する。
【００２５】
携帯電話２００はワンセグによるＴＶ受信ができ、インターネットと接続可能である。
【００２６】
ローカル局サーバ３００は複数のサーバで構成し、例えばあるサーバには各馬の試走映像の情報を備えると共に、発信機と接続して試走映像を放送する。他のサーバは騎手のインタービュウ映像の情報を備え、インタービュウ映像を放送する。サーバに接続する発信機はワンセグの微弱電波を発信し、１つの発信機はおよそ３メートル四方の受信エリアをカバーする。図１にはパドックに１台の発信機が配置されたように描いているが、パドックの周囲に例えば６メートル置きに発信機を配置している。携帯電話２００を所持する利用者がパドックに来れば、これらの発信機の受信エリアに入ることになり、発信機からのローカル放送を携帯電話で受信できる。
【００２７】
Ｗｅｂサーバ４００は、馬の固体情報や過去のレース結果、オッズの情報等のデータベースを備え、インターネット網５００と接続している。携帯電話２００はキャリアサーバ４１０を介してＷｅｂサーバ４００の情報を取得できる。
【００２８】
次に、携帯電話２００の構成例を図２により説明する。ここで説明する携帯電話２００は通常の電話やメールの機能を備えるものであるが、それらは省略し本発明に関係する部分を示している。
【００２９】
携帯電話２００は全体を制御する制御部２１０、メモリ上に展開した競馬情報を取得するアプリケーションプログラム２２０（以下、単にプログラム２２０という）、利用者によって操作される各種キー（数字キーやファンクションキーなど）からなる操作部２３０、映像やデータの表示を液晶パネルにより行う表示部２４０（表示部２４０は例えばワンセグの受信において、表示部の上部に映像情報の表示を、下部をデータ放送の表示を行う）、チャンネル設定によりローカル放送の番組を受信するＴＶ受信部２５０、インターネットのデータの送受信を行う通信制御部２６０、ローカル放送のチャンネルを記憶したチャンネルテーブル２７１、利用者が操作部２３０からキー操作した情報とＷｅｂサーバ４００のアドレスを記憶した操作情報記憶部２７２から構成する。
【００３０】
ここで、チャンネルテーブル２７１のデータ例を図３に示す。携帯電話２００はチャンネルテーブル２７１を幾つか記憶しており、ここではエリアに対応して放送するチャンネルを設定するテーブル（チャンネルテーブルＡ）、ローカル放送の各メニューに対応して詳細選択を要求するチャンネルを設定するテーブル（チャンネルテーブルＢ）および各馬番の馬が試走する映像のチャンネルを設定するテーブル（チャンネルテーブルＣ）の例を説明する。
【００３１】
図３（ａ）は、チャンネルテーブルＡの例で、利用者がプログラム２２０を起動したとき、最初に利用者にエリアに対応したローカル放送を受信状態にするためのテーブルである。このテーブルは、「数字キー」、「エリア」および「チャンネル」のフィールドから構成している。「数字キー」は利用者が入力時に押下するキーである。「エリア」は、競馬場内でローカル放送を受信できるエリアである。「チャンネル」は、携帯電話がローカル放送を受信するチャンネル（発信機からは見れば発信するチャンネル）である（ここでは、チャンネルは周波数と同じ意味で用いている）。例えば、利用者が現在パドックにいてプログラム２２０を起動したとき、利用者はプログラム２２０の表示メッセージに従って、数字キーの「２」を押すとプログラム２２０はこのチャンネルテーブルＡを参照してＴＶ受信部２５０のチャンネルを「ＣＨ０２」に設定し、受信されたローカル放送の映像を表示部２４０に表示する。
【００３２】
図３（ｂ）はチャンネルテーブルＢの例で、図３（ａ）の「エリア」に代えて「詳細選択」のフィールドが異なるだけである。利用者は、ローカル放送で表示されたメニュー画面に対応して詳細の選択を求めるチャンネルを記憶している。例えば、メニュー画面で利用者が試走映像を選択すると、次に何番の馬番の試走映像かを問う表示を行うチャンネルを記憶しておくものである。
【００３３】
図３（ｃ）はチャンネルテーブルＣの例で、詳細選択で利用者によって選択された馬番の試走画像を放送しているチャンネルである。１２頭立てのレースであれば、試走映像はその時間に連動して出走する馬番の試走映像を１２のそれぞれのチャンネルで放送し、携帯電話にその放送を受信させるチャンネルということになる。
【００３４】
パドックには、複数台のローカル局サーバ３００からの発信機が設置され、それぞれのローカル局サーバ３００は出走時間に合わせて馬の試走映像や騎手のインタービュウ映像を放送しており、利用者は上記に述べた方法で放送されている映像を選択することができる。例えば、ローカル局サーバ３００の一つは馬の試走映像（例えば、ＣＨ２１〜ＣＨ３２で計１２頭の馬の試走映像を出走時間に合わせて放送）のみを放送し、他のローカル局サーバ３００は騎手のインタービュウ映像のみを放送するようにしている。
【００３５】
次に、操作情報記憶部２７２のデータ例を説明する。操作情報記憶部２７２は、利用者によって入力されたキーの情報を記憶する記憶部で、この記憶した情報をもとにプログラム２２０の操作情報解析部２２３が、表示すべきローカル放送のチャンネルを抽出したり、Ｗｅｂサーバへの情報の橋渡しを行う。操作情報記憶部２７２は５つのフィールド（フィールド（１）〜フィールド（５））から構成している。即ち、フィールド（１）は、エリア情報を記憶するフィールドで、ここでは「２」が記憶されているが、これはパドックにおいて利用者が公営競技情報を取得していることを示している。フィールド（２）は、ローカル放送のメニュー選択の情報を記憶し、フィールド（３）はローカル放送の詳細選択の情報を記憶している。これらの情報は後述するが、両フィールドに記憶している「１」、「１」はそれぞれ「試走映像」と「馬番１」を意味し、利用者がパドックにいて試走映像を選択し、さらに馬番１を選択したことを示している。プログラム２２０はプログラムの流れの中でこの両フィールドの「１」、「１」から馬番１の試走映像であることを解析し、前述した図３（ｃ）を参照してチャンネルを設定することを行う。フィールド（４）は、Ｗｅｂと連携してＷｅｂサーバが備える情報を得たいとき利用者によって入力されたキーの「１」が記憶され、フィールド（５）にはＷｅｂサーバＵＲＬが記憶される。ＷｅｂサーバＵＲＬは予め記憶されている。この操作情報記憶部２７２の用い方は後述するフローの中で説明する。
【００３６】
次に図２に戻り、プログラム２２０について、その概要を説明する。プログラム２２０は、初期設定部２２１、チャンネル設定部２２２、操作情報取得部２２３、操作情報解析部２２４およびインターネット通信部２２５で構成し、それぞれの次の処理を行う。
【００３７】
初期設定部２２１は、アプリケーションプログラム２２０が起動すると、操作記憶部２７３のフィールド（１）〜（４）をリセット（空白コードをパッドデータとして挿入）すると共に、携帯電話２００がローカル放送を受信するための現在エリアの設定を利用者に求める画面を表示する。。
【００３８】
操作情報取得部２２２は、利用者が操作部２３０から入力した情報を取得し、操作情報記憶部２７３に記憶する。
【００３９】
操作情報解析部２２３は、操作情報記憶部２７３に記憶された操作情報を解析し、解析結果に基づいて次に述べるチャンネル設定部２２４に指示してＴＶ受信部２５０のチャンネル設定を変えたり、あるいはインターネット通信部２２５に指示してＷｅｂサーバ４００と通信する。
【００４０】
チャンネル設定部２２４は、操作部２３０から入力された情報、あるいは操作情報解析部２２３の解析結果に基づいてチャンネルテーブル２７１を参照し、ＴＶ受信部２５０のチャンネルを該当するチャンネルのチャンネルに設定する。表示部２４０はチャンネルの設定により表示中のローカル放送の番組が切り替わることになる。
【００４１】
インターネット通信部２２５は、操作情報解析部２２３での解析結果がＷｅｂサーバと通信するものであるとき、操作情報記憶部２７２に記憶してあるＵＲＬと操作情報記憶部１７３に記憶された中の必要な情報とをキャリアサーバ４１０に送り、Ｗｅｂサーバ４００と通信する。
【００４２】
次に、具体的なプログラムのフローを図５を用いて説明する。まず、利用者が所有する携帯電話２００から公営競技情報取得アプリのプログラム２２０を起動する。プログラム２２０は操作情報記憶部２７２を初期化し、表示部２４０に利用者が現在いるエリアを選択画面を表示する。エリアの選択画面は、例えば図６（ａ）に示すように、競馬場にローカル放送の発信機を設置しているエリアを表示し、利用者はこの中の該当する番号を数字キーで入力する。ここでは、利用者はパドックに来ているので「２」の数字キーを押下する（実際には、数字キーの後に決定キーを押すことになるが、煩雑であるので単に数字キーの押下としている）。利用者が数字キーの押下により選択した情報（エリア情報）を、操作情報記憶部２７２のフィールド（１）に記憶し、図３（ａ）のチャンネルテーブルＡを参照してＴＶ受信部２５０にチャンネルを設定し、ローカル放送を表示する。このとき表示されるローカル放送は図６（ｂ）に示すメニュー選択画面である。図６（ｂ）は表示部２４０の上部を映像の表示に、下部をデータの表示に用いている。ここでは、映像情報としてパドックに設置したカメラ（図示せず）からのライブの映像と予め作成したメニューデータとを併せて放送している。なお、映像とデータを放送する技術は従来技術である（Ｓ１００、Ｓ１１０）。
【００４３】
プログラム２２０はメニュー選択画面を見て利用者が入力した選択情報を取得し、操作情報記憶部２７２のフィールド（２）に記憶する。取得した情報がプログラム２２０の終了を示す「＊」であれば、プログラム２２０は終了することになるが、そうでなければ入力された数字キーに該当するチャンネルを図３（ｂ）のチャンネルテーブルＢを参照してＴＶ受信部２５０に該当するチャンネルを設定し、ローカル放送を表示する。図６（ｂ）の画面で利用者が試走映像を見るために数字キー「１」を押下していれば、詳細選択として馬番選択となるので図３（ｂ）では数字キー「１」に対応するチャンネル「ＣＨ１１」が設定されることになる。表示部２４０には、ＣＨ１１の画面である図６（ｃ）が表示される。図６（ｃ）では先のパドックライブ映像はそのままで、データ放送の部分のみを換えた映像を放送している（Ｓ１２０−Ｓ２４０）。
【００４４】
図６（ｃ）の表示で、利用者に更に詳細選択を求める。例えば、試走映像を選んだ後には試走する馬番を詳細選択として選択するようにしているので、利用者は試走映像を見たい馬番に該当する数字キーを押下する。入力された情報は操作情報記憶部２７２のフィールド（３）に記憶する。また、数字キーを押して決定キーを押す前にキャンセルキーである「ＣＡＮ（＃）」を押せば入力のやり直しができる。
【００４５】
プログラム２２０は、メニュー選択から詳細選択の２階層に渡って入力された情報により利用者が求むる情報を表示することになる。このため、操作情報記憶部２７２のフィールド（２）と（３）に記憶された情報が「１」→「ｎ」である場合の「ｎ」は馬の番号と解釈する。同様に、「２」→「ｎ」であればこの「ｎ」は騎手の番号であると解釈できる。この解釈を行うのが図２の操作情報解析部２２３である。操作情報解析部２２３の解析結果に基づいて、チャンネルテーブル２７１の対応するテーブルを選び、テーブルを参照して該当するチャンネルを抽出する。抽出したチャンネルをＴＶ受信部２５０に設定することにより、利用者が指定したローカル放送が表示される。ここでは、図４のデータ例に示すように利用者が入力したものとして、操作情報解析部２２３の解析結果から図３（ｃ）のテーブルを参照して馬番１の試走映像であるＣＨ２１を抽出し、そのローカル放送（図６（ｄ））が表示される。フィールド（２）に「２」が記憶されていれば、騎手インタービュウ映像が、「３」が記憶されていれば調教師インタービュウ映像が、「４」が記憶されていれば過去のレース出走映像が表示されてことになる。（Ｓ１５０−Ｓ１９０）。
【００４６】
馬番１の試走映像（図６（ｄ））でボタンが押下されると、その情報は操作情報記憶部２７２のフィールド（４）に記憶する。フィールド（４）に「１」が記憶されていればＷｅｂ連携と解釈し、フィールド（３）と（５）の情報（ここでは、馬番１の情報とhttp//www.keiba.・・・の情報）をキャリアサーバ４１０に送信する。この情報により、キャリアサーバ４１０はＷｅｂサーバと接続し、馬番１に関するＷｅｂサーバとしてのメニュー情報を取得して携帯電話２００に送信する。例えば、図７（ａ）の画面である。上部はＷｅｂ連携前の馬番１の試走映像を受信し、下部はＷｅｂサーバからのメニュー画面である（Ｓ２００−Ｓ２５０）。
【００４７】
図７（ａ）のＷｅｂサーバからの選択画面に基づいて利用者が入力した選択情報をキャリアサーバ４１０に送信し、それに対応してＷｅｂサーバ４００から送信される情報を表示する。例えば利用者が馬固体情報を選択すると、馬番１の固体情報が図７（ｂ）に示すように表示する。ここで、利用者は「馬番１」を入力する必要がない。即ち、ローカル放送受信の際に「馬番１」を利用者が選択しておりその情報が操作情報記憶部２７２に記憶されているのでＷｅｂサーバから情報を得ようとする場合もこの情報を基に馬番１の情報を抽出している。
【００４８】
利用者から入力された選択情報が図７（ａ）の「映像メニュー（０）」であった場合は、Ｗｅｂ連携から抜け、ローカル放送に戻る。ここでは、Ｓ１００のローカル放送のメニュー選択画面（図６（ｂ））に戻るようにしている。利用者から入力された選択情報が「終了（＊）」であった場合は、プログラム２２０を終了する（Ｓ２６０−Ｓ２８０）。
【００４９】
上記に示したように操作情報記憶部２７２の情報を基に、ローカル放送からＷｅｂサーバに切り替わっても情報の受け渡しが行われるので、利用者は切替えに際して再度情報を入力する必要はない。本発明は、このようにローカル放送からシームレスにＷｅｂ連携して情報の取得できることを特徴としている。また、微弱電波であれば届出の必要がないので短期間に情報取得のシステム構築が可能である。
【図面の簡単な説明】
【００５０】
【図１】公営競技情報取得システムのシステム構成例である。
【図２】携帯電話の構成例である。
【図３】チャンネルテーブルのデータ例である。
【図４】操作情報記憶部のデータ例である。
【図５】公営競技情報取得のアプリのフロー例である。
【図６】エリア選択表示とローカル放送の表示例である。
【図７】Ｗｅｂサーバによる画面表示例である。
【符号の説明】
【００５１】
１００  公営競技情報取得システム
２００  携帯電話
２１０  制御部
２２０  アプリケーションプログラム
２２１  初期設定部
２２２  操作情報取得部
２２３  操作情報解析部
２２４  チャンネル設定部
２２５  インターネット通信部
２３０  操作部
２４０  表示部
２５０  ＴＶ受信部
２６０  通信制御部
２７１  チャンネルテーブル
２７２  操作情報記憶部
３００  ローカル局サーバ
３１０  パドック発信機
３２０  ロイアルシート発信機
３３０  ・・・発信機
４００  Ｗｅｂサーバ
４１０  キャリアサーバ
５００  インターネット網
【図１】
2008271219.tif 000003
【図２】
2008271219.tif 000004
【図３】
2008271219.tif 000005
【図４】
2008271219.tif 000006
【図５】
2008271219.tif 000007
【図６】
2008271219.tif 000008
【図７】
2008271219.tif 000009